(57)【要約】【課題】指紋認証操作をスムーズに行える携帯電子機器を提供すること。【解決手段】携帯電話機１は、筐体２と、筐体２の外面に配置され、筐体２の外面に略垂直な回転軸を中心に回転可能な回転部５１と、回転部５１の表面に第１方向Ｄ１に延びて配置され、第１方向Ｄ１に略直交する第２方向Ｄ２への指の動きから指紋を読み取る指紋センサ５２と、回転部５１を回転させる回転駆動部５３と、筐体２の表面に回転部５１を囲むように配置される複数の接触センサ５４と、複数の接触センサ５４それぞれからの情報を検出する接触検出部と、接触検出部により検出された情報に基づいて回転駆動部５３を制御し、回転部５１の位置を調整する回転制御部と、を備える。【選択図】図３
2010130104.tif 000002
【特許請求の範囲】
【請求項１】
筐体と、
前記筐体の外面に配置され、該筐体の外面に略垂直な回転軸を中心に回転可能な回転部と、
前記回転部の表面に第１方向に延びて配置され、該第１方向に略直交する第２方向への指の動きから指紋を読み取る指紋センサと、
前記回転部を回転させる回転駆動部と、
前記筐体の表面に前記回転部を囲むように配置される複数の接触センサと、
前記複数の接触センサそれぞれからの情報を検出する接触検出部と、
前記接触検出部により検出された情報に基づいて前記回転駆動部を制御し、前記回転部の位置を調整する回転制御部と、を備える携帯電子機器。
【請求項２】
前記回転制御部は、前記接触検出部により前記複数の接触センサのうち最初に接触を検知した接触センサの位置の情報が検出された場合、該接触センサの位置を基準位置として、該基準位置に前記第２方向の上流側が位置するように前記回転駆動部を制御する請求項１に記載の携帯電子機器。
【請求項３】
前記回転制御部は、前記接触検出部により前記複数の接触センサのうち隣り合う２つの接触センサの接触が検出された場合、該２つの接触センサの中間を基準位置として、該基準位置に前記第２方向の上流側が位置するように前記回転駆動部を制御する請求項１に記載の携帯電子機器。
【請求項４】
前記回転制御部は、前記接触検出部により前記複数の接触センサのうち隣り合っていない２つの接触センサの接触が検出された場合、該２つの接触センサを結ぶ直線と前記第２方向とが略平行となり、且つ、該２つの接触センサのうち最初に接触が検知された接触センサ側に前記第２方向の上流側が位置するように前記回転駆動部を制御する請求項１に記載の携帯電子機器。
【請求項５】
前記回転制御部は、前記回転部の位置が調整された後、該回転部が回転しないように前記回転駆動部を制御する請求項１から請求項４のいずれか一項に記載の携帯電子機器。
【請求項６】
前記筐体には、所定の入力操作が行われる操作部が設けられ、
前記回転部は、前記筐体における前記操作部が設けられた面と反対側の面に設けられる請求項１から請求項５のいずれか一項に記載の携帯電子機器。
【発明の詳細な説明】
【技術分野】
【０００１】
本発明は、携帯電子機器に関する。詳しくは、指紋認証装置を備えた携帯電子機器に関する。
【背景技術】
【０００２】
従来、セキュリティ性が向上された携帯電子機器として、指紋認証装置を備えた携帯電子機器が知られている。このような携帯電子機器では、ユーザの指を所定方向に指紋認証装置上を通過させることで、指紋の認証や登録が可能となっている。
例えば、特許文献１には、縦長状の操作部側筐体の背面に指紋認証装置を配置した携帯電話機が提案されている。特許文献１で提案された携帯電話機では、指紋認証装置は、操作部側筐体の長手方向に沿った方向への指の動きから指紋を検出するように構成されている。この携帯電話機によれば、指紋認証を求められたユーザは、携帯電話機を把持した側の手の所定の指（例えば、人差し指）を操作部側筐体の長手方向に沿って滑らせることで指紋認証を行うこととなる。
【特許文献１】特開２００８−００５１４７号公報
【発明の開示】
【発明が解決しようとする課題】
【０００３】
ところで、携帯電話機を把持する場合、例えば、右利きのユーザでは、操作部側筐体の右側面からこの筐体を右手で挟みこむようにして把持する。この状態では、右手の５本の指のうち親指だけが操作部側筐体の表面側に配置され、残りの４本の指は、背面側に配置されている。このような状態で携帯電話機を把持する右手の所定の指（例えば、人差し指）を操作部側筐体の背面に沿って滑らせた場合、指は操作部側筐体の長手方向に沿って移動せず、長手方向に対して所定角度傾いた斜め方向に移動してしまう。
【０００４】
そのため、特許文献１で提案された携帯電話機では、片手で携帯電話機を操作しているユーザが指紋認証を求められた場合、ユーザは、一端、携帯電話機を把持している手を持ち替えた上で、空いた側の手の所定の指を操作部側筐体の長手方向に沿って滑らせて指紋認証を行う必要があった。つまり、特許文献１で提案された携帯電話機では、携帯電話機を片手で把持したまま、この把持している側の手の指で指紋認証を行うことができず、指紋認証操作をスムーズに行えないという問題があった。
【０００５】
従って、本発明は、指紋認証操作をスムーズに行える携帯電子機器を提供することを目的とする。
【課題を解決するための手段】
【０００６】
本発明は、筐体と、前記筐体の外面に配置され、該筐体の外面に略垂直な回転軸を中心に回転可能な回転部と、前記回転部の表面に第１方向に延びて配置され、該第１方向に略直交する第２方向への指の動きから指紋を読み取る指紋センサと、前記回転部を回転させる回転部駆動部と、前記筐体の表面に前記回転部を囲むように配置される複数の接触センサと、前記複数の接触センサそれぞれからの情報を検出する接触検出部と、前記接触検出部により検出された情報に基づいて前記回転駆動部を制御し、前記回転部の位置を調整する回転制御部と、を備える携帯電子機器に関する。
【０００７】
また、前記回転制御部は、前記接触検出部により前記複数の接触センサのうち最初に接触を検知した接触センサの位置の情報が検出された場合、該接触センサの位置を基準位置として、該基準位置に前記第２方向の上流側が位置するように前記回転駆動部を制御することが好ましい。
【０００８】
また、前記回転制御部は、前記接触検出部により前記複数の接触センサのうち隣り合う２つの接触センサの接触が検出された場合、該２つの接触センサの中間を基準位置として、該基準位置に前記第２方向の上流側が位置するように前記回転駆動部を制御することが好ましい。
【０００９】
また、前記回転制御部は、前記接触検出部により前記複数の接触センサのうち隣り合っていない２つの接触センサの接触が検出された場合、該２つの接触センサを結ぶ直線と前記第２方向とが略平行となり、且つ、該２つの接触センサのうち最初に接触が検知された接触センサ側に前記第２方向の上流側が位置するように前記回転駆動部を制御することが好ましい。
【００１０】
また、前記回転制御部は、前記回転部の位置が調整された後、該回転部が回転しないように前記回転駆動部を制御することが好ましい。
【００１１】
また、前記筐体には、所定の入力操作が行われる操作部が設けられ、前記回転部は、前記筐体における前記操作部が設けられた面と反対側の面に設けられることが好ましい。
【発明の効果】
【００１２】
本発明の携帯電子機器によれば、筐体に対して回転可能な回転部を設け、この回転部に指紋センサを配置したので、指紋認証操作をスムーズに行える。
【発明を実施するための最良の形態】
【００１３】
以下、本発明の携帯電子機器の好ましい実施形態について図面を参照しながら説明する。
先ず、本発明の携帯電子機器の好ましい一実施形態としての携帯電話機１について、図１〜図３を参照しながら説明する。
図１は、本発明の一実施形態に係る携帯電話機１について、操作部側筐体２と表示部側筐体３とを開いた状態で正面側から視た斜視図である。図２は、図１に示す携帯電話機１を背面側から視た斜視図である。図３は、指紋認証装置５０の分解斜視図である。
【００１４】
携帯電話機１は、図１及び図２に示すように、筐体としての操作部側筐体２と、表示部側筐体３と、操作部側筐体２と表示部側筐体３とを連結する連結部４と、を備える。
【００１５】
この携帯電話機１では、操作部側筐体２の上端部と表示部側筐体３の下端部とは、連結部４を介して開閉可能に連結されている。
即ち、携帯電話機１は、連結部４を介して連結された操作部側筐体２と表示部側筐体３とを相対的に回転（回動）することにより、操作部側筐体２と表示部側筐体３とを互いに開いた状態（開状態）にしたり、操作部側筐体２と表示部側筐体３とを折り畳んだ状態（閉状態）にしたりできる。
【００１６】
図１及び図２に示すように、表示部側筐体３は、前面３０Ａ側を構成するフロントケース３ａ及びフロントパネル３ｃと、背面３０Ｂ側を構成するリアケース３ｂ及びリアパネル３ｄと、を主体として構成される。
表示部側筐体３の前面３０Ａには、各種情報を表示するための表示部３１と、通話の相手側の音声を出力する音声出力部３２と、が配置される。前面３０Ａは、携帯電話機１を折り畳んだ状態で操作部側筐体２と向かい合う面である。
【００１７】
表示部３１は、通信・通話待受画像や所定の機能を動作させるためのアプリケーションに基づく画像等を表示する。
尚、表示部３１は、携帯電話機１の閉状態において隠れる位置に配置されている。
【００１８】
図２に示すように、表示部側筐体３の背面３０Ｂには、各種情報を表示するためのサブ表示部３３が配置される。背面３０Ｂは、前面３０Ａとは反対側の面である。つまり、サブ表示部３３は、携帯電話機１の閉状態であっても外部に露出する位置に配置されている。
【００１９】
表示部側筐体３に配置された表示部３１及びサブ表示部３３それぞれは、液晶パネルと、液晶パネルを駆動する駆動回路と、液晶パネルの背面側から光を照射するバックライト等の光源部とを有して構成される（いずれも図示せず）。
【００２０】
次に、操作部側筐体２について説明する。
図１及び図２に示すように、操作部側筐体２は、前面２０Ａを構成するフロントケース２ａと背面２０Ｂを構成するリアケース２ｂ及びバッテリカバー２ｃと、を主体として構成される。また、この操作部側筐体２の内部には、後述する指紋センサを制御する制御回路や回転部の位置を制御する制御回路等の複数の電子部品が搭載された回路基板（図示せず）が配置されている。
【００２１】
操作部側筐体２の前面２０Ａには、所定の入力操作が行われる操作部２１と、使用者が通話時に発した音声が入力されるマイク２２とが配置される。前面２０Ａは、携帯電話機１を折り畳んだ状態で表示部側筐体３と向かい合う面である。
【００２２】
操作部２１は、各種設定や電話帳機能やメール機能等の各種機能（アプリケーション）を作動させるための機能設定操作キー１３と、電話番号の数字やメール等の文字等を入力するためのテンキー等の入力操作キー１４と、各種操作における決定や上下左右方向のスクロール等を行う決定操作キー１５と、を備える。
【００２３】
操作部２１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作部２１を構成する各キーが使用者により押圧されることで、各キーに割り当てられている機能に応じた動作が実行される。
【００２４】
図２及び図３に示すように、操作部側筐体２の背面２０Ｂには、指紋認証装置５０が配置される。背面２０Ｂは、前面２０Ａとは反対側の面である。
指紋認証装置５０は、操作部側筐体２の背面２０Ｂの外面を構成するリアケース２ｂに取り付けられる回転部５１と、この回転部５１の表面に線状に延びて配置される指紋センサ５２と、回転部５１を回転させる回転部駆動部としての駆動モータ５３と、リアケース２ｂの表面に配置される複数の接触センサ５４と、を備える。
【００２５】
回転部５１は、円板状の回転部本体５１１と、この回転部本体５１１の中心から、回転部本体５１１に対して略垂直方向に延びる軸部５１２と、この軸部５１２に設けられた第１歯車５１３と、を備える。
回転部５１は、軸部５１２が背面２０Ｂに対して略垂直となるように操作部側筐体２に取り付けられており、軸部５１２を回転軸として操作部側筐体２に対して回転可能となっている。
【００２６】
指紋センサ５２は、携帯電話機１のユーザの指紋を検知する。
本実施形態の指紋センサ５２は、光を受光する感光部が線状に配置されて構成されたラインセンサである。この指紋センサ５２は、図３に示す第１方向Ｄ１に延びて配置されており、この第１方向Ｄ１に直交する第２方向Ｄ２における上流側から下流側への指の動きから指紋を読み取り可能に構成されている。
指紋センサ５２は、回転部本体５１１の中心よりも第２方向Ｄ２の上流側に設けられている。指紋センサ５２は、信号線（図示せず）を介して、操作部側筐体２の内部に配置された回路基板（図示せず）に接続されている。
【００２７】
駆動モータ５３は、駆動モータ本体５３１と、この駆動モータ本体５３１に設けられ回転駆動する回転軸５３２と、この回転軸５３２に設けられ回転部５１の第１歯車５１３に噛み合う第２歯車５３３と、を備える。
駆動モータ５３の回転軸５３２の回転は、互いに噛み合う第２歯車５３３及び第１歯車５１３を介して回転部５１の軸部５１２に伝達され、これにより、回転部５１は回転される。
【００２８】
複数の接触センサ５４は、回転部５１を囲むように配置される。これら複数の接触センサ５４は、信号線（図示せず）を介して操作部側筐体２の内部に配置された回路基板（図示せず）に接続されている。
【００２９】
このように構成される携帯電話機１は、指紋認証操作の際にユーザが指をスライドさせる方向を複数の接触センサ２９により検出して、このユーザの指のスライド方向と指紋センサ５２が指紋を検出できる方向である第２方向Ｄ２とを一致させる機能を有している。以下に、携帯電話機１に係る当該機能を発揮するための構成と動作について詳述する。
【００３０】
図４は、携帯電話機１の機能を示すブロック図である。
携帯電話機１は、指紋センサ５２が配置された回転部５１と、駆動モータ５３と、複数の接触センサ５４と、接触検出部５５と、回転制御部５６と、メモリ５７と、認証部５８と、を備える。
【００３１】
接触検出部５５は、複数の接触センサ５４のうち接触を検知した接触センサ５４の位置の情報や、２以上の接触センサ５４が接触を検知した場合における接触を検知した接触センサ５４の順番の情報等の各種情報を検出する。
回転制御部５６は、接触検出部５５が検出した情報に基づいて駆動モータ５３の回転を制御し、回転部５１の位置を調整する。
【００３２】
メモリ５７は、所定の入力操作により入力された携帯電話機１のユーザの指紋情報を記憶する。
認証部５８は、指紋センサ５２が検出した指紋と、メモリ５７に記憶された指紋情報とが一致するか否かを認証する。
【００３３】
ここで、回転制御部５６による回転部５１の位置の制御の一実施形態である第１実施形態について図５及び図６を参照しながら説明する。
図５（ａ）〜図５（ｃ）は、それぞれ、ユーザが指紋認証操作を行う場合における指紋認証装置５０の動作を示す図である。図６は、ユーザが指紋認証操作を行う場合における指紋認証装置５０の動作を示すフロー図である。
【００３４】
第１実施形態では、回転制御部５６は、複数の接触センサ５４のうち最初に接触を検知した接触センサ５４の位置を基準位置として、この基準位置に第２方向Ｄ２の上流側が位置するように駆動モータ５３を駆動させて回転部５１の位置を調整する。
また、回転制御部５６は、回転部５１の位置が調整された後、回転部５１が回転しないように駆動モータ５３を制御する。
【００３５】
具体的には、先ず、図５（ａ）に示すように、ユーザは、右手で操作部側筐体２を把持する（ステップＳ１）。この状態では、指紋認証装置５０の回転部５１は、第２方向Ｄ２が操作部側筐体２の長手方向に沿うと共に、第２方向Ｄ２の上流側が連結部４側に位置している。
【００３６】
次に、ユーザにより所定の入力操作が行われると（ステップＳ２）、指紋認証アプリケーションが起動されて、複数の接触センサ５４及び指紋センサ５２が起動される（ステップＳ３）。また、表示部３１には、指紋認証画面が表示される（図示せず）。
【００３７】
次に、ユーザは、図５（ｂ）に示すように、操作部側筐体２を把持している側の手の所定の指（図５では人差し指）を、背面２０Ｂに沿って所定方向（図５（ｂ）では矢印ａ方向）にスライドさせる（ステップＳ４）。
【００３８】
ここでは、指紋認証操作を行う前の状態での第２方向Ｄ２（図５（ｂ）参照）と指のスライド方向（矢印ａ方向）とは一致していないので、指紋センサ５２は、指紋を検出できず、表示部３１にはエラー画面が表示される（図示せず）。
【００３９】
このとき、矢印ａ方向にスライドされるユーザの指は、複数の接触センサ５４のうちの所定の接触センサ５４ａに最初に接触する（図５（ｂ）参照）。
すると、接触検出部５５により、複数の接触センサ５４のうち最初に接触を検知した接触センサ５４ａの位置情報が検出される（ステップＳ５）。
【００４０】
接触検出部５５により、接触センサ５４ａの位置情報が検出されると、回転制御部５６は、接触検出部５５により検出された位置情報に基づいて、接触センサ５４ａの位置を基準位置として、この基準位置に第２方向Ｄ２の上流側が位置するように回転部５１を矢印ｂ方向に回転させる（ステップＳ６）。その結果、図５（ｃ）に示すように、指のスライド方向（矢印ａ方向）と第２方向Ｄ２とが一致する。
【００４１】
また、回転制御部５６は、回転部５１の位置が調整された後、駆動モータ５３の駆動を停止させて、回転部５１が回転しないように回転部５１の位置を固定させる（ステップＳ７）。
尚、指紋認証操作を行う前の状態での第２方向Ｄ２とユーザの指のスライド方向とが一致していた場合には、指紋センサ５２により指紋が検出され、認証部５８により指紋認証が行われる。
【００４２】
次に、ユーザが再び指を矢印ａ方向にスライドさせて指紋認証操作を行うと（ステップＳ８）、ユーザの指は、第２方向Ｄ２に沿って指紋センサ５２上を通過する。そして、指紋センサ５２によりユーザの指紋が検出されて、認証部５８により指紋認証が行われる（ステップＳ９）。
【００４３】
認証部５８により、指紋センサ５２で検出された指紋がメモリ５７に記憶された指紋情報と一致すると認証された場合には、複数の接触センサ５４及び指紋センサ５２の起動は停止され（ステップＳ１０）、指紋認証アプリケーションは終了する。
認証部５８により、指紋センサ５２で検出された指紋がメモリ５７に記憶された指紋情報と一致すると認証されなかった場合には、ステップＳ５に戻る。
【００４４】
尚、一度、回転制御部５６により指紋認証装置５０の位置が固定され、指紋認証が成功した後には、当該位置を基本の固定位置としてもよい。これにより、次回以降、接触検出部５５を起動させなくともよいから、接触検出部５５の起動にかかる電力を節電できたり、或いは指紋認証全体にかかる時間が削減できたりする。もちろん、接触検出部５５を起動させてもよい。接触検出部５５を起動させたとしても、前記固定位置から指紋認証装置を回転させる必要が生じる場合が少ないことから、回転制御にかかる電力を節電できたり、或いは指紋認証全体にかかる時間が削減できたりする。
【００４５】
第１実施形態の携帯電話機１によれば、以下のような効果を奏する。
【００４６】
（１）操作部側筐体２に複数の接触センサ５４を配置し、これら複数の接触センサ５４が検知した情報に基づいて指紋センサ５２が配置された回転部５１を回転させた。これにより、複数の接触センサ５４によりユーザの指のスライド方向を検出して、この指のスライド方向に指紋センサ５２が指紋を検出できる方向である第２方向Ｄ２を一致させられる。よって、ユーザによる操作部側筐体２の把持の仕方が変わっても、ユーザの指のスライド方向に第２方向Ｄ２を容易に一致させられるので、指紋認証操作をスムーズに行える。
【００４７】
（２）接触検出部５５により複数の接触センサ５４のうち最初に接触を検知した接触センサ５４の位置の情報が検出されると、この接触センサ５４の位置に第２方向Ｄ２の上流側が位置するように回転部５１を回転させた。よって、ユーザが指をスライドさせる起点となる位置に第２方向Ｄ２の上流側を位置させられるので、指紋認証操作をよりスムーズに行える。
【００４８】
（３）回転制御部５６により回転部５１の位置が調整された後、回転部５１の位置が動かないように駆動モータ５３の駆動を制御した。これにより、ユーザが指をスライドさせる方向と第２方向Ｄ２とを一致させた状態で回転部５１の位置を固定できる。よって、同じユーザが繰り返し指紋認証操作を行う場合に、回転部５１の位置を調整することなく指紋認証を行えるので、携帯電話機１の操作性を向上できる。
【００４９】
（４）指紋認証装置５０を、操作部側筐体２における操作部２１が設けられた面と反対側の面に設けた。これにより、ユーザは、携帯電話機１を把持した側の手の所定の指を、背面２０Ｂ上を滑らせることで容易に指紋認証操作を行える。よって、ユーザは、携帯電話機１を持ち替えることなく片手でスムーズに指紋認証操作を行えるので、携帯電話機１の操作性を向上できる。
【００５０】
次に、回転制御部５６による回転部５１の位置の制御の第２実施形態について、図７を参照しながら説明する。
図７（ａ）及び図７（ｂ）は、第２実施形態における指紋認証装置５０の動作を示す図である。
尚、第２実施形態以降の説明にあたっては、第１実施形態と同一の構成要件については同一符号を付し、その説明を省略もしくは簡略化する。
【００５１】
第２実施形態の携帯電話機１は、接触検出部５５の検出情報及び回転制御部５６の制御動作において第１実施形態と異なる他は、第１実施形態と同様である。
第２実施形態では、回転制御部５６は、接触検出部５５により複数の接触センサ５４のうち隣り合う２つの接触センサ５４の接触が検出された場合、これら２つの接触センサ５４の中間を基準位置として、この基準位置に第２方向Ｄ２の上流側が位置するように駆動モータ５３を制御する。
【００５２】
具体的には、図７（ａ）に示すように、ユーザの指が矢印ａ方向にスライドされて、接触検出部５５が複数の接触センサ５４のうちの隣り合う２つの接触センサ５４ｂ，５４ｃの接触を検出した場合、回転制御部５６は、駆動モータ５３を駆動させて、これら２つの接触センサ５４ｂ，５４ｃの中間位置Ｐに第２方向Ｄ２の上流側が位置するように回転部５１を回転させる（図７（ｂ）参照）。
【００５３】
第２実施形態によれば、上述の（１）、（３）及び（４）の効果を奏する他、以下のような効果を奏する。
【００５４】
（５）接触検出部５５により複数の接触センサ５４のうちの隣り合う２つの接触センサ５４ｂ，５４ｃの接触が検出されると、これら２つの接触センサ５４ｂ，５４ｃの中間位置Ｐに第２方向Ｄ２の上流側が位置するように回転部５１を回転させた。よって、ユーザが指をスライドさせる起点となる位置をより正確に検出して、この起点となる位置に第２方向Ｄ２の上流側を位置させられるので、指紋認証操作をよりスムーズに行える。
【００５５】
次に、回転制御部５６による回転部５１の位置の制御の第３実施形態について、図８を参照しながら説明する。
図８（ａ）及び図８（ｂ）は、第３実施形態における指紋認証装置５０の動作を示す図である。
【００５６】
第３実施形態の携帯電話機１についても、接触検出部５５の検出情報及び回転制御部５６の制御動作において第１実施形態と異なる他は、第１実施形態と同様である。
第３実施形態では、回転制御部５６は、接触検出部５５により複数の接触センサ５４のうち隣り合っていない２つの接触センサ５４の接触が検出された場合、これら２つの接触センサ５４を結ぶ直線と第２方向Ｄ２とが略平行となり、且つ、これら２つの接触センサ５４のうち最初に接触が検知された接触センサ５４側に第２方向Ｄ２の上流側が位置するように駆動モータ５３を制御する。
【００５７】
具体的には、図８（ａ）に示すように、ユーザの指が矢印ａ方向にスライドされて、接触検出部５５が複数の接触センサ５４のうちの隣り合っていない２つの接触センサ５４ｄ，５４ｅの接触を、接触センサ５４ｄ、接触センサ５４ｅの順で検出した場合、回転制御部５６は、駆動モータ５３を駆動させて、これら２つの接触センサ５４ｄ，５４ｅを結ぶ直線Ｌと第２方向Ｄ２とが略平行となり、且つ、これら２つの接触センサ５４ｄ，５４ｅのうち最初に接触が検知された接触センサ５４ｄ側に第２方向Ｄ２の上流側が位置するように回転部５１を回転させる（図８（ｂ）参照）。
【００５８】
第３実施形態によれば、上述の（１）、（３）及び（４）の効果を奏する他、以下のような効果を奏する。
【００５９】
（６）接触検出部５５により複数の接触センサ５４のうちの隣り合っていない２つの接触センサ５４ｄ，５４ｅの接触が検出されると、これら２つの接触センサ５４ｄ，５４ｅを結ぶ直線Ｌと第２方向Ｄ２とが略平行となり、且つ、これら２つの接触センサ５４ｄ，５４ｅのうち最初に接触が検知された接触センサ５４ｄ側に第２方向Ｄ２の上流側が位置するように回転部５１を回転させた。よって、ユーザが指をスライドさせた方向を正確に検出できるので、指紋認証操作をよりスムーズに行える。
【００６０】
尚、本発明は上述した各実施形態に制限されるものではなく、本発明の目的を達成できる範囲での変形、改良等は本発明に含まれるものである。
例えば、第１実施形態〜第３実施形態では、指紋認証装置５０を操作部側筐体２の背面２０Ｂに設けたが、これに限らない。即ち、指紋認証装置を表示部側筐体３の背面３０Ｂに設けてもよい。
【００６１】
また、第１実施形態〜第３実施形態では、指紋認証アプリケーションを起動させた場合に複数の接触センサ５４及び指紋センサ５２を起動させたが、これに限らない。即ち、指紋認証アプリケーションを起動させた後に、複数の接触センサ５４のうちのいずれかの接触センサ５４への接触を検出した場合に、指紋センサ５２を起動させてもよい。これにより、携帯電話機１の消費電力を低減できる。
【００６２】
また、第１実施形態〜第３実施形態では、携帯電子機器の一例として連結部４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００６３】
また、第１実施形態〜第３実施形態では、本発明を携帯電子機器としての携帯電話機１に適用したが、これに限らない。即ち、本発明を、情報携帯端末（ＰＤＡ）、ノートパソコン、デジタルカメラ、小型オーディオプレーヤー等の他の携帯電子機器に適用してもよい。
【図面の簡単な説明】
【００６４】
【図１】本発明の一実施形態に係る携帯電話機について、操作部側筐体と表示部側筐体とを開いた状態で正面側から視た斜視図である。図１に示す携帯電話機１を背面側から視た斜視図である。
【図２】図１に示す携帯電話機１を背面側から視た斜視図である。
【図３】指紋認証装置の分解斜視図である。
【図４】携帯電話機の機能を示すブロック図である。
【図５】図５（ａ）〜図５（ｃ）は、それぞれ、ユーザが指紋認証動作を行う場合における指紋認証装置の動作を示す図である。
【図６】ユーザが指紋認証操作を行う場合における指紋認証装置の動作を示すフロー図である。
【図７】図７（ａ）及び図７（ｂ）は、第２実施形態における指紋認証装置の動作を示す図である。
【図８】図８（ａ）及び図８（ｂ）は、第３実施形態における指紋認証装置の動作を示す図である。
【符号の説明】
【００６５】
１  携帯電話機（携帯電子機器）
２  操作部側筐体（筐体）
３  表示部側筐体
２１  操作部
５１  回転部
５２  指紋センサ
５３  駆動モータ（回転駆動部）
５４  接触センサ
５５  接触検出部
５６  回転制御部
Ｄ１  第１方向
Ｄ２  第２方向
【図１】
2010130104.tif 000003
【図２】
2010130104.tif 000004
【図３】
2010130104.tif 000005
【図４】
2010130104.tif 000006
【図５】
2010130104.tif 000007
【図６】
2010130104.tif 000008
【図７】
2010130104.tif 000009
【図８】
2010130104.tif 000010